(57)【要約】【課題】複合画像で構成される下絵の上で、フィルムゲージをスライド移動させることで、絵が動いているかの如き視覚的効果を与える装飾要素を備えた包装用箱において、フィルムゲージと下絵の適度な密着性を実現する。【解決手段】  包装用箱１０は、収納室の一壁面３１に対して回動可能な回動フラップ２０を備え、当該回動フラップの内面に下絵フラップ２５が立設されている。フィルムゲージ５０は、一壁面３１に形成した一対の保持スリット３２ａ、３２ｂに、その両端５２ａ、５２ｂを差し込んで、実質上不動に保持される。下絵フラップ２５は、一壁面３１とフィルムゲージ５０との間に位置し、回動フラップ２０が回動すると、これに連動して下絵フラップ２５がフィルムゲージ５０に対して相対的にスライドし、これにより動画が生じる。【選択図】図６
2010013118.tif 000002
【特許請求の範囲】
【請求項１】
複合画像（２６）で構成される下絵が表示された下絵フラップ（２５）と、当該下絵に対応するフィルムゲージ（５０）とを重ね、両者を相対的にスライド移動させることで、動画を生じさせる装飾要素を備えた包装用箱であって、
当該包装用箱は、収納室（３０）の一壁面（３１）に対して回動可能な回動フラップ（２０）を備え、当該回動フラップの内面に下絵フラップ（２５）が立設されていて、
フィルムゲージ（５０）は、上記一壁面（３１）に形成した一対の保持スリット（３２ａ、３２ｂ）に、その両端を差し込むことで、当該一壁面（３１）上に保持されていて、
下絵フラップ（２５）は、上記一壁面（３１）とフィルムゲージ（５０）との間に位置していて、回動フラップ（２０）が回動すると、これに連動して下絵フラップ（２５）がフィルムゲージ（５０、１５０、２５０）に対して相対的にスライドし、これにより上記動画が生じることを特徴とする、包装用箱。
【請求項２】
上記フィルムゲージ（１５０）は、その両端に形成した切込スリット（１５１ａ、１５１ｂ）で構成される一対の差込片（１５２ａ、１５２ｂ）を備えており、当該一対の差込片は、互いに近づく方向に向けられていて、
当該一対の差込片（１５２ａ、１５２ｂ）を、上記一対の保持スリット（３２ａ、３２ｂ）に対して外方から互いに近づく方向に差し込むことで、フィルムゲージ（１５０）が上記一壁面（３１）上に保持されていることを特徴とする、請求項１記載の包装用箱。
【請求項３】
上記フィルムゲージ（２５０）は、その両端に、外方に向かって突出する一対の差込片（５２ａ、５２ｂ）を備えており、当該差込片を上記一対の保持スリット（３２ａ、３２ｂ）に互いに離れる方向に差し込むことで、フィルムゲージ（２５０）が上記一壁面（３１）上に保持されていて、
当該フィルムゲージ（２５０）は、さらに、差込片（５２ａ、５２ｂ）の内側に、切込スリット（２５５ａ、２５５ｂ）で構成される一対の下絵フラップ保持片（２５６ａ、２５６ｂ）を備え、当該下絵フラップ保持片は、互いに近づく方向に向けられていて、
一対の下絵フラップ保持片（２５６ａ、２５６ｂ）が下絵フラップ（２５）の下面側に入り込んで、下絵フラップ（２５）のフィルムゲージ（２５０）に対する密着性を高めていることを特徴とする、請求項１記載の包装用箱。
【請求項４】
上記下絵フラップ（２５）は、回動フラップ（２０）の内面において、上記一壁面（３１）の表面から一定距離（Ｌ）離れた位置から立ち上がるように立設されていて、これにより、下絵フラップ（２５）のフィルムゲージ（５０、１５０、２５０）に対する密着性を高めていることを特徴とする、請求項１〜３記載のいずれか１つに記載の包装用箱。
【請求項５】
上記回動フラップ（２０）は、上記一壁面（３１）に対向する対向壁面（３１’）の一端縁（３１’ａ）に対してヒンジ式に連結されており、これにより、回動フラップ（２０）が回動する際の下絵フラップ（２５）のストローク量を大きくしていることを特徴とする、請求項１〜４記載のいずれか１つに記載の包装用箱。
【発明の詳細な説明】
【技術分野】
【０００１】
本発明は、複合画像で構成される下絵の上で、フィルムゲージをスライド移動させることで、絵が動いているかの如き視覚的効果を与える装飾要素を備えた包装用箱に関する。
【背景技術】
【０００２】
「下絵」と「フィルムゲージ」を利用して、パラパラ漫画とよく似た原理で、あたかも絵が動いているかのような視覚的効果を与える技術は、従来から知られている（例えば、特許文献１、２）。その原理を簡単に説明すると、次の通りである。
【０００３】
≪画素が２つの場合：図１、図２≫
図１は、「複合画像で構成される下絵」の作成原理を示している。ここでは、複合画像は、２つの画素から構成される。まず、画素１、２をそれぞれ等間隔“α”で間引いて、「残像」と「欠け」が繰り返す中間画素を作成する。次に、中間画像１の「欠け」部分に、中間画像２の「残像」部分が一致するようにして、両者を組み合わせて複合画像を作成する。
【０００４】
一方、図２に示したフィルムゲージは、透明の基材上に「黒塗りの細長い帯状領域」を等間隔で印刷したものであって、「帯状領域の幅」と「各帯状領域間の間隔」とが等しい（共に“α”）。
このフィルムゲージを複合画像上に重ね合わせて、両者を相対的にスライドさせると、図２に示したように、中間画素１の「残像」がフィルムゲージ上の各帯状領域間の透明領域にきたときに星形模様が視認される（Ａ）。
一方、中間画素２の「残像」がフィルムゲージ上の各帯状領域間の透明領域にきたときに丸形模様が視認される（Ｂ）。
【０００５】
以上の相対スライド動作を適度な速度で行うと、人間の目には、あたかも星形模様と丸形模様が動的に変化しているかのように視認される。
【０００６】
≪画素が３つの場合：図３、図４≫
以上に説明した画素が２つの場合は、（ｉ）画素を間引く際の「残像」と「欠け」の幅寸法を等しくし（“α”）、かつ、（ii）フィルムゲージ上の「帯状領域の幅」および「各帯状領域間の間隔」を共にこの“α”と等しくしている。
【０００７】
画素が３つの場合は、図３、図４に示したように、（ｉ）画素を間引く際に、「欠け」の幅寸法“β”を「残像」の幅寸法“γ”の２倍とし、（ii）フィルムゲージ上における「帯状領域の幅」を「欠け」の幅寸法“β”に等しく、「各帯状領域間の間隔」を「残像」の幅寸法“γ”に等しくする。
「欠け」の幅寸法“β”が「残像」の幅寸法“γ”の２倍であるため、中間画素１の「欠け」部分に他の２つの中間画素２、３の「残像」を収めることができ、したがって、３つの画素からなる複合画像を作成することができる。
【０００８】
そして、図４に示したように、中間画素１の「残像」がフィルムゲージ上の各帯状領域間の透明領域にきたときに星形模様が視認される（Ａ）。中間画素２の「残像」がフィルムゲージ上の各帯状領域間の透明領域にきたときに丸形模様が視認される（Ｂ）。中間画素３の「残像」がフィルムゲージ上の各帯状領域間の透明領域にきたときに菱形模様が視認される（Ｃ）。
【０００９】
同様の考え方で、画素が４つ、５つの場合にも、複合画像および対応するフィルムゲージを作成できる。
【００１０】
以上に説明した例では、ストライプ状のフィルムゲージを使用しているが、格子状のフィルムゲージと、これと対応する下絵とを利用して、同様の視覚的効果を与える構成も知られている。
ストライプ状のフィルムゲージの場合には、視覚的効果を得るために「下絵」と「フィルムゲージ」を相対移動させる方向は、ストライプに直交する１方向に限られる。これに対して、格子状のフィルムゲージの場合には、タテ、ヨコ、ナナメのいずれの方向に相対移動させた場合であっても、視覚的効果を得ることができる。
【００１１】
【特許文献１】特表２００７−５２６５００号
【特許文献２】実用新案登録第３０９５２６５号
【発明の開示】
【発明が解決しようとする課題】
【００１２】
菓子等を収容する包装用箱において、相対移動する構成要素を当該包装用箱に設けて、そこに「フィルムゲージ」および「下絵」を設けることで、上述の視覚的効果を与えることができる。視覚的効果により得られる動画を、収容される商品あるいは製造メーカと関連付けたものとすることで、宣伝効果あるいは販売促進効果を高めることができる。
【００１３】
ここで、「フィルムゲージ」と「下絵」を重ね合わせて相対スライドさせることで視覚的効果を得る場合、相対スライドする「フィルムゲージ」および「下絵」は、適度に密着していることが好ましい。両者の隙間が大きいと、視覚的効果として得られる動画もボヤケたものとなってしまう。つまり、動画を生じさせる装飾要素を備えた包装用箱を作成するにおいて、この適度な密着性を如何にして達成するかが課題となる。
したがって、本発明の目的は、包装用箱に設けた「フィルムゲージ」と「下絵」の適度な密着性を実現することである。
【課題を解決するための手段】
【００１４】
本発明の包装用箱は、「複合画像で構成される下絵が表示された下絵フラップ」と、「当該下絵に対応するフィルムゲージ」とを重ね、両者を相対的にスライド移動させることで、動画を生じさせる装飾要素を備える。
この包装用箱は、収納室の一壁面に対して回動可能な回動フラップを備え、当該回動フラップの内面に下絵フラップが立設されている。
フィルムゲージは、上記一壁面に形成した一対の保持スリットに、その両端を差し込むことで、当該一壁面上に保持されている。
下絵フラップは、上記一壁面とフィルムゲージとの間に位置していて、回動フラップが回動すると、これに連動して下絵フラップがフィルムゲージに対して相対的にスライドし、これにより上記動画が生じる。
【００１５】
下絵フラップに表示される下絵は、例えば図１〜４で説明したような「残像」と「欠け」で構成される複数の画素から作成される複合画像である。また「下絵に対応するフィルムゲージ」とは、複合画像の「残像」および「欠け」に対応した「透明領域」および「不透明領域」を含み、相対スライドによって動画を生じさせるフィルムゲージを意味する。
また、フィルムゲージは、ストライプ状および格子状のいずれであってもよく、対応する下絵（複合画像）と相対スライドすることで動画を生じさせる。
【発明の効果】
【００１６】
上記構成を有する本発明の包装用箱においては、一壁面に設けた一対のスリットに対して、フィルムゲージが、その両端を差し込むことで当該一壁面に保持されている。そのため、「フィルムゲージ」と「壁面」が、その間に位置する「下絵フラップ」を積極的に挟持し、これにより、「下絵フラップ」を「フィルムゲージ」に圧接させる効果が生じる。したがって、「フィルムゲージ」と「下絵フラップ」が適度に密着し、相対スライドにより得られる動画がクリアなものとなる。
【００１７】
「下絵フラップ」を「フィルムゲージ」に圧接させる効果を高めるため、「フィルムゲージ」の両端に設ける一対の差込片を、互いに近づく方向に向けておいてもよい。
かかる構成を採用すると、下絵フラップにより近い位置に差込片が位置するため、下絵フラップ２５をフィルムゲージへ向けて押し上げる効果が高まり、クリアな動画を得ることができる。
【００１８】
また、「下絵フラップ」を「フィルムゲージ」に圧接させる効果を高めるため、「フィルムゲージ」の差込片の内側に、互いに近づく方向に向けられた下絵フラップ保持片を設けてもよい。
下絵フラップ保持片が、下絵フラップを下方から抱え込むように持ち上げ、フィルムゲージに押し付ける効果が得られるので、クリアな動画を得ることができる。
【発明を実施するための最良の形態】
【００１９】
≪第１実施形態：図５、６≫
図５は、本発明の第１実施形態に係る包装用箱１０の構造を示す組立図である。この包装用箱１０は、菓子等を入れる収納室３０の上面に回動フラップ２０を備えている。菓子は、開閉フラップ３５を開けて、収納室３０から取り出すことができる（図５（ａ））。
【００２０】
包装用箱１０は、代表的には１枚のブランクから組み立てることができ、回動フラップ２０は、フラップ片２１、２２を折り畳むように接着して形成される。表面に下絵２６が印刷された下絵フラップ２５が、フラップ片２２の一端縁に連設されている。
包装用箱１０を組み立てると、下絵フラップ２５は、回動フラップ２０の内面から立設された状態となって、収納室３０の一壁面３１の表面に沿って延在する（図５（ｂ））。
【００２１】
フィルムゲージ５０は、両端に差込片５２ａ、５２ｂを備えている。一方、収納室３０の一壁面３１には、下絵フラップ２６の両側端縁に沿って、一対の保持スリット３２ａ、３２ｂが形成されている。フィルムゲージ５０は、差込片５２ａ、５２ｂを保持スリット３２ａ、３２ｂに差し込むことで、一壁面３１上に実質上不動に保持される。
このとき、下絵フラップ２５は、一壁面３１とフィルムゲージ５０との間に挟み込まれた状態となる（図５（ｃ））。
【００２２】
図６は、組み立てられた包装用箱１０と動画との関係を示している。回動フラップ２０を回動させると、不動のフィルムゲージ５０に対して、下絵フラップ２５が相対スライドする。これによって、視覚的効果を利用した動画が現れる。図６では、３つの画素から構成される動画の一例を示しているが、具体的な図柄や画素の数は、任意に設定することができる。
収容される商品あるいは製造メーカと関連付けた動画を採用することで、宣伝効果あるいは販売促進効果を高めることができる。
【００２３】
回動フラップ２０は、一端縁に係止フラップ２３を備えていて、収納室３０の一端縁には、これと対応する差込スリット３３が形成されている。係止フラップ２３をスリット３３に差し込むことで、動画を生じさせる装飾要素を隠すように、回動フラップ２０を閉じることができる。これには、次のような意味がある。
すなわち、包装用箱１０は、菓子等を収納して販売されるものであるから、商品名や内容物の情報、その他を含めた絵柄を箱体表面に表示する（印刷等）ことが好ましい。この絵柄を表示するために、回動フラップ２０を閉じることで現れる壁面（図５において紙面向こう側を向いた、回動フラップ２０の裏面）を利用することができる。
【００２４】
≪格子状のフィルムゲージ≫
本発明においては、ストライプ状のフィルムゲージ５０に限らず、格子状のフィルムゲージ５０’を採用することも可能である（図５中の円内）。勿論、その場合には、下絵２６は、これに対応して動画を生じさせるものが採用される。
ストライプ状のフィルムゲージ５０の場合、一方向の相対スライドによって動画が生じるが、格子状のフィルムゲージ５０’の場合、タテ、ヨコ、ナナメのいずれの方向に相対スライドした場合でも動画が生じる。これは、箱の組み立て精度が高くなく、相対スライド方向が予定の一方向から逸れた場合でも動画に変化が生じるという点で有効である。
【００２５】
≪下絵フラップとフィルムゲージとの密着性を高めるための構成≫
下絵フラップ２５とフィルムゲージ５０を重ねて相対スライドさせることで動画を生じさせる場合、両者の隙間が大きいと、動画がボヤケて見えることがある。動画をクリアにするためには、下絵フラップ２５とフィルムゲージ５０を、適度に圧接させることが好ましい。
これを実現するために、本発明では、壁面３１に設けた一対のスリット３２ａ、３２ｂに対して、フィルムゲージ５０の両端に設けた差込片５２ａ、５２ｂを差し込み、これによって、フィルムゲージ５０を壁面３１上に固定している。その結果、フィルムゲージ５０と壁面３１が、その間に位置する下絵フラップ２５を積極的に挟持し、下絵フラップ２５をフィルムゲージ５０に圧接させる効果が生じる。
したがって、フィルムゲージ５０と下絵フラップ２５が適度に密着し、相対スライドにより得られる動画がクリアなものとなる。特に、フィルムゲージ５０をプラスチック材等の剛性材料で作成すると、フィルムゲージ５０自体に一平面内に納まろうとする保形性があるので、これをスリット３２ａ、３２ｂに差し込んで壁面３１に固定した場合に、下絵フラップ２５を挟持する効果が大きい。
【００２６】
さらに、下絵フラップ２５とフィルムゲージ５０を圧接する効果を高めるために、下絵フラップ２５は、回動フラップ２０の内面において、一壁面３１の表面から一定距離“Ｌ”でオフセットした位置から立ち上がるように設計することが好ましい。
すなわち、図６中に部分的に拡大して示したように、回動フラップ２０の内面から立ち上がる下絵フラップ２５の根元２５ａは、収納室の一壁面３１の端縁３１ａから上方に距離“Ｌ”だけ離されている（オフセットされている）。これにより、下絵フラップ２５をフィルムゲージ５０に対して圧接させる力が生じる。つまり、下絵フラップ２５とフィルムゲージ５０が適度に密着して、クリアな動画を得ることができる。
また、下絵フラップ２５の根元２５ａから一定距離“Ｍ”（約５ｍｍ）の位置にミシン罫２５ｂを設けることが好ましい。これにより、回動フラップ２０の回動と連動して下絵フラップ２５のミシン罫２５ｂよりも根元側の幅“Ｍ”の領域は、ミシン罫２５ｂを中心として回動と連動して斜め上方に立ち上がるが、下絵フラップ２５のミシン罫２５ｂよりも先端側の領域は、フィルムゲージ５０に対して平行を維持したまま圧接することとなる。
ただし、以上のオフセット構成およびミシン罫２５ｂは任意の構成要素であって、省略することも可能である。
【００２７】
≪第２実施形態：図７≫
図７は、第２実施形態に係る包装用箱１１０を示している。第１実施形態と比べて、フィルムゲージ１５０の構造が異なる。
【００２８】
第１実施形態では、フィルムゲージ５０は、その両端に、外方に向かって突出する一対の差込片５２ａ、５２ｂを備えていた。差込片５２ａ、５２ｂは、収納室３０の一壁面３１上に形成した保持スリット３２ａ、３２ｂに、互いに離れる方向に差し込まれ、これにより、フィルムゲージ５０が一壁面３１上に不動に保持されていた。
【００２９】
これに対して、第２実施形態では、フィルムゲージ１５０の差込片１５２ａ、１５２ｂは、互いに近づく方向に向けられている。すなわち、フィルムゲージ１５０には、その両端縁からやや内側の位置に、切込スリット１５１ａ、１５１ｂが形成されていて、これにより、互いに近づく方向に向く一対の差込片１５２ａ、１５２ｂを構成している。
【００３０】
差込片１５２ａ、１５２ｂは、収納室３０の一壁面３１上に形成した保持スリット３２ａ、３２ｂに、外方から互いに近づく方向に差し込まれ、これにより、フィルムゲージ１５０が一壁面３１上に実質上不動に保持される。
【００３１】
ここで、差込片１５２ａ、１５２ｂの具体的形態は、任意のものを採用することができる。例えば、図７中に破線で囲んだ領域に示したように、全体がドーム状に湾曲する如き形態の差込片１５２ａ’、１５２ｂ’を採用することも可能である。
当該形状の差込片１５２ａ’、１５２ｂ’は、一壁面３１上の保持スリット３２ａ、３２ｂに対する差し込み作業が行い易いという点で優れる。
【００３２】
第１実施形態（図６）と第２実施形態（図７）を比較すると、次のことがいえる。すなわち、第２実施形態では、スリットに差し込まれた差込片１５２ａ、１５２ｂが互いに近づく方向に延在するので、収納室３０内において、下絵フラップ２５により近い位置に差込片１５２ａ、１５２ｂが位置する。そのため、第１実施形態に比べて、下絵フラップ２５を上方へと押し上げる効果が高い。
したがって、下絵フラップ２５とフィルムゲージ１５０との密着性が高まり、クリアな動画を得ることができる。
【００３３】
なお、第２実施形態においても、第１実施形態と同様に、下絵フラップ２５は、回動フラップ２０の内面において、一壁面３１の表面から一定距離（図６中の“Ｌ”）だけ離れた位置から立ち上がるように構成して、下絵フラップ２５とフィルムゲージ１５０を、適度に圧接させることが好ましい。
【００３４】
≪第３実施形態：図８≫
図８は、第３実施形態に係る包装用箱２１０を示している。第１、２実施形態と比べて、フィルムゲージ２５０の構造が異なる。
【００３５】
第３実施形態において、まず、フィルムゲージ２５０の差込片５２ａ、５２ｂの構成は、第１実施形態の場合と同様である。すなわち、差込片５２ａ、５２ｂは、フィルムゲージ２５０の両端に、外方に向かって突出するよう形成されている。しかし、第３実施形態は、さらに、下絵フラップ保持片２５６ａ、２５６ｂを備える。
【００３６】
すなわち、第３実施形態におけるフィルムゲージ２５０は、差込片５２ａ、５２ｂのやや内側の位置に、切込スリット２５５ａ、２５５ｂが形成されていて、これにより、互いに近づく方向に向く一対の下絵フラップ保持片２５６ａ、２５６ｂを構成している。
【００３７】
図８中のＸ−Ｘ断面図に示したように、下絵フラップ保持片２５６ａ、２５６ｂは、下絵フラップ２５を下方から抱え込むように持ち上げ、フィルムゲージ２５０に押し付ける効果を奏する。
したがって、下絵フラップ２５とフィルムゲージ２５０との密着性が高まり、クリアな動画を得ることができる。なお、図８中のＸ−Ｘ断面図では、説明を分かり易くするために、各構成要素間の隙間を実際よりも誇張して大きく描いている。
【００３８】
なお、第３実施形態においても、第１実施形態と同様に、下絵フラップ２５は、回動フラップ２０の内面において、一壁面３１の表面から一定距離（図６中の“Ｌ”）だけ離れた位置から立ち上がるように構成して、下絵フラップ２５とフィルムゲージ２５０を、適度に圧接させることが好ましい。
【００３９】
≪下絵フラップのストローク量を大きくするための変形例：図９≫
図９は、第１実施形態に対する変形例を示している。第１実施形態の包装用箱１０（図９（ａ））では、回動フラップ２０は、収納室３０の一壁面３１の端縁３１ａに対してヒンジ連結されていた。これに対して、図９（ｂ）の変形例に係る包装用箱１０’では、当該一壁面３１に対向する反対側の対向壁面３１’の端縁３１ａ’に対して、回動フラップ２０がヒンジ連結されている。
この結果、図９（ｂ）から明らかなように、回動フラップ２０を回動させたときに、これと連動してスライドする下絵フラップ２５のストローク量が大きくなる。その結果、得られる動画は、ダイナミックな印象がより強いものとなる。
【００４０】
第２実施形態（図７）および第３実施形態（図８）に係る包装用箱においても、同様の構成を採用して、下絵フラップ２５のストローク量を大きくすることが可能である。
【図面の簡単な説明】
【００４１】
【図１】２つの画素から動画を生じさせる原理を示す説明図。
【図２】２つの画素から動画を生じさせる原理を示す説明図。
【図３】３つの画素から動画を生じさせる原理を示す説明図。
【図４】３つの画素から動画を生じさせる原理を示す説明図。
【図５】本発明の第１実施形態に係る包装用箱を説明する組立図。
【図６】図５に示した包装用箱の機能を説明する図。
【図７】本発明の第２実施形態に係る包装用箱を説明する組立図。
【図８】本発明の第３実施形態に係る包装用箱を説明する組立図。
【図９】第１実施形態に対する変形例を説明する斜視図。
【符号の説明】
【００４２】
１０、１０’、１１０、２１０  包装用箱
２０  回動フラップ
２１、２２  フラップ片
２３  係止フラップ
２５  下絵フラップ
２６  下絵（複合画像）
３０  収納室
３１  一壁面
３２ａ、３２ｂ  保持スリット
３３  差込スリット
３５  開閉フラップ
５０、５０’、１５０、２５０  フィルムゲージ
５２ａ、５２ｂ  差込片
１５１ａ、１５１ｂ  切込スリット
１５２ａ、１５２ｂ  差込片
１５２ａ’、１５２ｂ’  差込片
２５５ａ、２５５ｂ  切込スリット
２５６ａ、２５６ｂ  下絵フラップ保持片
【図１】
2010013118.tif 000003
【図２】
2010013118.tif 000004
【図３】
2010013118.tif 000005
【図４】
2010013118.tif 000006
【図５】
2010013118.tif 000007
【図６】
2010013118.tif 000008
【図７】
2010013118.tif 000009
【図８】
2010013118.tif 000010
【図９】
2010013118.tif 000011